(57)【要約】【課題】  腕を圧迫することなく、より自然な状態で腕を保持できる腕保持用具を提供する。【解決手段】  腕保持用具１は、装着する腕に沿って延在するように配される本体部２と、本体部２の下端側に設けられ把手可能な被把手部３を備えた掌保持手段４と、本体部２の上部付近に設けられた装着用手段５とを有している。このため、本体部が腕に沿って添えられており自由な動作を抑制すると共に、掌保持手段が把手可能な被把手部を有しているため、本体部に対する手首付近の保持は装着者自身が被把手部を把手することにより実現するので、腕が圧迫されることがなく、より自然な状態で腕を保持できる。【選択図】図１
2005253736.tif 000002
【特許請求の範囲】
【請求項１】
装着する腕に沿って延在するように配される本体部と、該本体部の下端側に設けられ把手可能な被把手部を備えた掌保持手段と、前記本体部の上部付近に設けられた装着用手段とを有することを特徴とする腕保持用具。
【請求項２】
前記本体部は、上端側を肩掛け可能とする肩掛け部を有している請求項１に記載の腕保持用具。
【発明の詳細な説明】
【技術分野】
【０００１】
本発明は、腕に疾患を有する者、点滴、輸血、透析治療などを受ける患者などが装着して好適な腕保持用具に関するものである。
【背景技術】
【０００２】
腕に疾患を有する者にとって、腕が自由に動くことにより患部をさらに傷めることがあり、療養中はある程度、腕が保持された状態で維持されることが望ましい。
【０００３】
また、点滴、輸血、透析などを行う場合、治療が長時間に渡るため、腕を楽な状態で維持できることが望まれる。特に、子供や痴呆老人などは、長時間の治療に耐え兼ねて暴れることがあり、そのような者に対してはベットに縛り付けて治療を行うことも多く、過度の肉体的精神的ストレスを与えている。
【０００４】
このように、腕を一定の状態に保持できる手段（装具または方法）が嘱望されているが、腕に巻きつけたり（特開２００３−２５０８２５号公報）、腕に縛り付けたりして、直接、腕等を圧迫するものが多く、適切な手段が存在しなかった。
【特許文献１】特開２００３−２５０８２５号公報
【発明の開示】
【発明が解決しようとする課題】
【０００５】
そこで、本発明の課題は、腕等を圧迫することなく、腕に対してより自然な状態で保持できる腕拘束用具を提供することにある。
【課題を解決するための手段】
【０００６】
本発明の腕保持用具は、装着する腕に沿って延在するように配される本体部と、該本体部の下端側に設けられ把手可能な被把手部を備えた掌保持手段と、前記本体部の上部付近に設けられた装着用手段とを有することを特徴とする腕保持用具である。
【発明の効果】
【０００７】
請求項１に記載の発明によれば、本体部が腕に沿って添えられ自由な動作を抑制すると共に、掌保持手段が把手可能な被把手部を有しているため、本体部に対する手首付近の保持は装着者自身が被把手部を把手することにより実現するので、腕が圧迫されることがなく、より自然な状態で保持できる。
請求項２に記載の発明によれば、本体部が肩掛け部を有しているため、装着側へ寝返りを打とうしても肩掛け部の端部が顎下に当接するため寝返りが抑止される。これにより、体重が腕にかかって腕自体や腋付近の血管また神経を圧迫することが防止され、圧迫による麻痺等で治癒が遅延することがなく、また、人工血管を挿入している者にとっても寝返りによる血管等の圧迫を回避できる。
【発明を実施するための最良の形態】
【０００８】
腕保持用具１は、図１および図６に示すように、装着する腕に沿って延在するように配される本体部２と、本体部２の下端側に設けられ把手可能な被把手部３を備えた掌保持手段４と、本体部２の上部付近に設けられた装着用手段５とを有している。以下、各構成について順次詳述する。
【実施例１】
【０００９】
なお、図１は本発明の腕保持用具の一実施例を正面側から視た斜視図であり、図２は図１に示した腕保持用具を背面側から視た斜視図であり、図３は図１に示した腕保持用具の本体部の拡大横断面図であり、図４は図１に示した腕保持用具を装着した状態を示す正面図であり、図５は図１に示した腕保持用具を装着した状態を示す背面図であり、図６は図１に示した腕保持用具を装着した状態を示す側面図であり、図７は図１に示した腕保持用具の他の作用を示した斜視図である。
【００１０】
本体部２は、装着する腕に沿って延在するように配される部位であり、この本体部２が腕の近隣に添えられる状態となって腕の自由な動きが抑制される。このように、本発明の腕保持用具は、本体部２が装着する腕に沿って延在し、腕の近隣に添えられる程度で配されるため、より自然な状態で腕を保持できる。
【００１１】
本体部２は、図５に示すように、肩付近から手首付近まで延在する長尺状の板状体にて形成されている。なお、本体部はこの実施例のように板状体に限定されるものではなく例えば棒状体などでもよい。より好ましくはこの実施例のように、装着する腕の幅に略相応した幅を有する板状体である。
【００１２】
また、本体部２は、装着する腕の一側に沿って延在するように形成されている。一側としては、この実施例のように背部側若しくは肘側が好ましく、これにより装着したままの状態でも腕の内側が露呈するため点滴や透析治療が容易となる。ただし、これに限定されるものではなく腕の一側であればよく、例えば肘関節の内側（肘が屈曲する側）に延在するよう配されるものも本発明の範疇に包含される。
【００１３】
本体部２の長手方向の形態としては、図６に示すように、肘関節付近で肘の内側に向かって湾曲または屈曲していることが好ましい。湾曲または屈曲の程度としては１２５度程度がより好ましく、これは１２５度程度に腕を曲げた状態が、筋肉が緩み血管等に対して圧迫のない理想的な状態であるからである。ただし、湾曲または屈曲の程度は１２５度に限定されるものではなく、腕に疾患がある場合はその疾患の状況に応じて適切な角度に湾曲または屈曲されていてもよく、また、略直線状のものの他、湾曲または屈曲の程度または角度を適宜変更可能に構成されたものも本発明の範疇に包含される。
【００１４】
本体部２は、軽量で剛性を有するものであればどのような材料にて形成されていてもよいが、この実施例の本体部２は、図３に示すように、水硬化性ポリウレタン樹脂にて形成された基材層２ａと、基材２ａの前面側（腕に接触する側）に配されスポンジ等の弾性材料にて形成された緩衝材層２ｂと、両者を被包するように配された布材２ｃとから構成されている。
【００１５】
掌保持手段４は、掌にて本体部２の装着状態を維持するための部位であり、図６に示すように、把手可能な被把手部３を備えている。具体的には、掌保持手段４は、図２に示すように、被把手部３と、被把手部３を本体部２の下端付近に着脱可能とする着脱用ベルト４ａとから構成されている。
【００１６】
被把手部３は、スポンジなどの柔軟材料を布材にて被包して形成されており、掌の幅と略同寸の幅で、かつ把手可能な太さの略円柱体に形成されている。
【００１７】
装着用ベルト４ａは、被把手部３内に挿通され被把手部３の幅方向の両端から延出しており、両端部がそれぞれ本体部２に着脱可能に構成されている。より具体的には、装着用ベルト４ａの両端一面側にはそれぞれマジックテープ（登録商標）が取りつけられており、本体部２の下端に設けられた拡張部２ｄのベルト着脱部６に着脱することにより、掌保持手段４が本体部２に着脱可能となっている。
【００１８】
ベルト着脱部６は、図２に示すように、本体部２の長手方向に沿って二列に配されたマジックテープから構成されており、装着用ベルト４ａの両端をそれぞれ離間して貼着可能となっている。また、使用者にとって把持し易い位置に被把手部３を配することができるように、装着用ベルト４ａの両端を適宜位置に貼着可能とし位置調整可能となっている。
【００１９】
なお、使用者は装着用ベルト４ａの両端の貼着部位を調整することにより、被把手部３を順手で把手することも逆手で把手することも可能である。また、被把手部３は、必ずしも使用者が常時握らなくても、被把手部３が掌付近に収まるように装着用ベルト４ａの両端の貼着部位を調整すれば、被把手部３が親指の付け根あたりに係止され掌から抜けることはない。
【００２０】
このように、本発明の腕保持用具は、掌保持手段が把手可能な被把手部を有しているため、本体部に対する手首付近の保持は装着者自身が被把手部を把手することにより実現するので、腕が圧迫されることがなく、腕に対してより自然な状態で保持できる。
【００２１】
ただし、本発明における掌保持手段の構造はこの実施例に限定されるものではなく、本体部の下端付近に被把手部を備えたものは広く本発明の範疇に包含され、例えば本体部に掌保持手段が固定され着脱不能なもの、被把手部がゴムなどの弾性体で形成されたものなども包含される。
【００２２】
また、この実施例の本体部２は、上端側に肩掛け可能とする肩掛け部７を備えている。
肩掛け部７は、図６に示すように、使用者の肩に本体部２を掛けるための部位であり、この実施例では、本体部２と一体に形成され、本体部２の上部より湾曲して胸前に延在するように構成されている。
【００２３】
本体部２がこのような肩掛け部７を有することにより、装着時には、まずこの肩掛け部７を肩に掛けた状態とすることで、より容易に装着可能となる。また、図７に示すように、使用者が装着側へ寝返りを打とうしても肩掛け部７の端部が顎下に当接するため寝返りが抑止される。このため、体重が腕にかかって腕自体や腋付近の血管或いは神経を圧迫することが防止され、圧迫による麻痺等で治癒が遅延することがなく、また、人工血管を挿入している者にとっても寝返りによる血管等の圧迫を回避できる。
【００２４】
このような寝返り抑止効果をより確実なものとするために、肩掛け部７の端部は、図１および図４に示すように、本体部２の延在方向より他方の腕側に向かって捩じられて延出するように構成されることが好ましく、これにより、寝返りを打とうとしても直に肩掛け部７の端部が顎下に当接し、寝返り抑止効果が高まる。また、本体部２が平板状であり、かつ背面側に位置すると、寝返りを打とうとすると、床面と本体部２が面当接するため、寝返り抑止効果がより向上する。
【００２５】
また、肩掛け部７の端部は、図４に示すように、他方の腋下が位置する方向（斜め下方向）に延在するように形成されると、後述する装着用手段５にてより自然な装着が可能となる。さらに、この実施例の肩掛け部７の構造は本体部２に一体的に形成されているが、本体部２とは別体として設けられたもの、肩掛け部の下面側にクッション材などにて形成された肩パットを配したもの、肩掛け部の端部上面側にクッション材などにて形成された顎当接用パットなどを配したものなども本発明の範疇に包含される。
【００２６】
装着用手段５は、腕保持用具１を装着するための部位であり、この実施例では、図１に示すように、肩掛け部７の端部に取りつけられた胸前側装着ベルト８と、本体部２の上部付近に取りつけられた背面側装着ベルト９とから構成されている。
【００２７】
胸前側装着ベルト８は、図４に示すように、装着する側の肩から他方の腕の腋下に向かって延在させるものであり、先端部に、背面側装着ベルト９との連結手段８ａを備えている。他方、背面側装着ベルト９は、図５に示すように、装着する側の肩付近から他方の腕の腋下に向かい、さらに胸前側に延在するものであり、先端部には胸前側装着ベルト８との連結手段９ａを備えている。
【００２８】
そして、腕保持用具１を装着する場合は、まず、肩掛け部７を肩に掛けた状態で、他方の手で背面側装着ベルト９を把持して腋下に通した上で胸前に導出する。この時、胸前側装着ベルト８の連結手段８ａは胸前に垂下しているため、他方の手または装着側の手を使用して胸前付近にて連結手段８ａ，９ａを連結させる。その後、装着側の掌で被把手部３を把手する。被把手部３の把手状態が良好でない場合は、ベルト着脱部６に対する装着用ベルト４ａの両端の貼着部位を適宜変更して装着が完了する。
【００２９】
このように、腕保持用具１は胸前で胸前側装着ベルト８と背面側装着ベルト９との連結または連結解除操作ができ、一人でも容易に装着することができる。また、装着用手段５は、本体部２の荷重を肩に掛ける構造であるため、装着に際して縛られている感覚がなく長時間の装着でもストレスを感じることが少ない。
【００３０】
さらに、この実施例の腕保持用具１は、本体部２の長手方向の中間部付近に腕捕捉体１０を備えている。
この腕捕捉体１０は、図４に示すように、肘関節付近（腕の中間付近）で肘関節が自由に動くことを抑制するための部位であり、図１に示すように、本体部２の幅方向の両側にそれぞれ固定され、腕を取り巻くように弧状に湾曲して形成されている。なお、この腕捕捉体１０は、腕に常時接触するように取りつける必要はなく、腕の動きをある程度規制するものであるため、腕に巻き着けるのではなく、腕より若干離間するように取りつけられている。
【００３１】
以上のように、本発明の腕保持用具は、腕に巻きつけたりして圧迫するものでないため、長時間装着しても抵抗感がなく、起立した状態はもとより、治療時や就寝時など横たわった状態でも好適に使用できる。
【００３２】
つぎに、図８に示した本発明の腕保持用具の他の実施例について説明する。
この実施例の腕保持用具２０と前述した腕保持用具１との相違は、腕保持用具２０が、本体部２における腕捕捉体２１の取り付け位置を変更できる点にあり他は同じである。
【００３３】
具体的には、この実施例の本体部２は、長手方向に対して略直交する方向に設けられた複数の貫通穴２２を有しており、他方、腕捕捉体２１は、貫通穴２２に挿通可能な芯材２１ａ（この実施例では板状金属体）を備えている。そして、芯材２１ａを適宜位置の貫通穴２２に挿通させ、芯材２１ａにカバー２３ｂをそれぞれ両端側にて被覆した状態で、一方のカバー２３ｂに設けられた架橋ベルト２３ｃを他方のカバー２３ｂの上面に設けられた取付部２３ｄに、図８中、矢印ｈ方向に掛け渡して取り付けることにより、腕捕捉体２１を本体部２の長手方向の適宜位置に取り付けることができるように構成されている。
【００３４】
なお、この実施例では、架橋ベルト２３ｃの裏面にマジックテープ２３ｅが取りつけられており、他方のカバー２３ｂの取付部２３ｄにもマジックテープが取りつけられており、両者が係合することにより腕捕捉体２１が本体部２に取り付けられるように構成されている。
【００３５】
腕保持用具２０は、このように、腕捕捉体２１の取り付け部位を変更することができるため、使用者の体格や患部の位置などに応じて適切な位置に腕捕捉部２１を配することができる。
【図面の簡単な説明】
【００３６】
【図１】図１は本発明の腕保持用具の一実施例を正面側から視た斜視図である。
【図２】図２は図１に示した腕保持用具を背面側から視た斜視図である。
【図３】図３は図１に示した腕保持用具の本体部の拡大横断面図である。
【図４】図４は図１に示した腕保持用具を装着した状態を示す正面図である。
【図５】図５は図１に示した腕保持用具を装着した状態を示す背面図である。
【図６】図６は図１に示した腕保持用具を装着した状態を示す側面図である。
【図７】図７は図１に示した腕保持用具の他の作用を示した斜視図である。
【図８】図８は本発明の腕保持用具の他の実施例の部分拡大斜視図である。
【符号の説明】
【００３７】
１    腕保持用具
２    本体部
３    被把手部
４    掌保持手段
５    装着用手段
６    ベルト着脱部
７    肩掛け部
８    胸前側装着ベルト
９    背面側装着ベルト
１０  腕捕捉体
【図１】
2005253736.tif 000003
【図２】
2005253736.tif 000004
【図３】
2005253736.tif 000005
【図４】
2005253736.tif 000006
【図５】
2005253736.tif 000007
【図６】
2005253736.tif 000008
【図７】
2005253736.tif 000009
【図８】
2005253736.tif 000010